(57)【特許請求の範囲】
【請求項１】
左右側壁間に前部及び後部の回転輪を支持し、且つ前記左右側壁にその長手方向が上下となる挿通孔を有するフィーダハウスと、前記回転輪間に掛設され、刈取部で刈取られた作物を脱穀室に移送するコンベアと、前記夫々の挿通孔に上下動自在に挿嵌支持される軸部を有し、前記コンベアにテンションを与える緊張体とを備えたコンバインにおける搬送装置において、前記左右側壁の外側面で、且つ前記挿通孔の外側に、前記挿通孔に沿って上下に延び、前記軸部の上下動をガイドするガイド体を設けていることを特徴とするコンバインにおける搬送装置。
【請求項２】
前記緊張体に、前記挿通孔に沿って上下に延び、該挿通孔の開放口を隠蔽する隠蔽体を設けている請求項１記載のコンバインにおける搬送装置。
【請求項３】
前記軸部は径方向に貫通する貫通孔を有しており、前記緊張体を常時テンション付与方向に付勢するテンションコイルばねと、該テンションコイルばね及び前記貫通孔の夫々に挿通される筒形のガイド軸と、前記左右側壁に取着され、前記ガイド軸に挿通されたねじ軸と、該ねじ軸に螺着され、前記テンションコイルばねの力を調整し、且つ前記ガイド軸を軸長方向へ移動させるナットとを備え、前記ガイド軸が前記貫通孔から突出する突出部に、前記テンションコイルばねによる前記緊張体のテンション力を表示する表示部を設けている請求項１又は２記載のコンバインにおける搬送装置。
【請求項４】
前記フィーダハウスにおける側壁の緊張体支持位置近くで、且つ前記緊張体に対し前記後部の回転輪側に、外部に開口する窓孔と、該窓孔を開閉する蓋体とを備える請求項１記載のコンバインにおける搬送装置。
【請求項５】
前記回転輪を前記フィーダハウスに支持する支持軸と、該支持軸に套嵌して前記作物の前記支持軸への巻付きを防止する巻付防止筒とを備えており、前記回転輪の少なくとも一側は、前記巻付防止筒の端部を受入れる環状凹入部を有しており、該環状凹入部に前記巻付防止筒の端部を相対回転可能に挿嵌している請求項１記載のコンバインにおける搬送装置。
【発明の詳細な説明】
【０００１】
【発明の属する技術分野】
本発明は刈取部で刈取られた稲などの作物を脱穀室に移送するコンベアを備えたコンバインにおける搬送装置に関する。
【０００２】
【従来の技術】
従来、例えば汎用形のコンバインにおいては、実開昭６３ー７５１３０号公報に記載されているように、機体の前方に設ける刈取部と機体上部に設ける脱穀室との間に、前部及び後部回転輪を支持するフィーダハウスを設け、このフィーダハウス内に、前部及び後部回転輪間に掛設されて刈取部で刈取られた作物を脱穀室に移送するコンベアと、フィーダハウスの左右側壁間に上下動自在に挿嵌支持される軸部をもちコンベアにテンションを与える緊張体とを設け、脱穀室に移送された作物を扱胴の回転で脱穀処理するように構成されている。
【０００３】
【発明が解決しようとする課題】
ところが、以上のごとく構成された搬送装置においては、コンベアにより移送する作物の一部がフィーダハウスの内側で引掛かったりして堆積し、詰りが発生することがあった。
【０００４】
本発明は、コンベアで移送される穀稈などの作物がフィーダハウスの内側で詰るのを防止することができる搬送装置を提供することを主たる目的とする。
【０００５】
【課題を解決するための手段】
請求項１記載の発明は、フィーダハウス側壁の緊張体支持部を補強できながら、コンベアで移送される作物がフィーダハウスの内側で詰るのを防止できるようにするため、図３に示すように、左右側壁間に前部及び後部の回転輪を支持し、且つ前記左右側壁にその長手方向が上下となる挿通孔を有するフィーダハウスと、前記回転輪間に掛設され、刈取部で刈取られた作物を脱穀室に移送するコンベアと、前記夫々の挿通孔に上下動自在に挿嵌支持される軸部を有し、前記コンベアにテンションを与える緊張体とを備えたコンバインにおける搬送装置において、前記左右側壁の外側面で、且つ前記挿通孔の外側に、前記挿通孔に沿って上下に延び、前記軸部の上下動をガイドするガイド体を設けていることを特徴とする。
【０００６】
請求項２記載の発明は、緊張体の軸部を挿通孔に沿って良好にガイドできながら、挿通孔による移送作物の詰りを防止できるようにするため、図３に示すように、前記緊張体に、前記挿通孔に沿って上下に延び、該挿通孔の開放口を隠蔽する隠蔽体を設けたことを特徴とする。
【０００８】
請求項３記載の発明は、工場での組立て時及び補修時に、緊張体に適正なテンション力を簡易に付与できるようにするため、図３に示すように、前記軸部は径方向に貫通する貫通孔を有しており、前記緊張体を常時テンション付与方向に付勢するテンションコイルばねと、該テンションコイルばね及び前記貫通孔の夫々に挿通される筒形のガイド軸と、前記左右側壁に取着され、前記ガイド軸に挿通されたねじ軸と、該ねじ軸に螺着され、前記テンションコイルばねの力を調整し、且つ前記ガイド軸を軸長方向へ移動させるナットとを備え、前記ガイド軸が前記貫通孔から突出する突出部に、前記テンションコイルばねによる前記緊張体のテンション力を表示する表示部を設けていることを特徴とする。
【０００９】
請求項４記載の発明は、フィーダハウス内側の緊張体に、コンベアで移送する作物が引掛かって詰った場合、この詰りを簡易に取り除くことができるようにするため、図３に示すように、前記フィーダハウスにおける側壁の緊張体支持位置近くで、且つ前記緊張体に対し前記後部の回転輪側に、外部に開口する窓孔と、該窓孔を開閉する蓋体とを備えることを特徴とする。
【００１０】
請求項５記載の発明は、移送作物が、巻付防止筒と回転輪との間の隙間から内側の支持軸部に侵入するのを防止できるようにするため、図６に示すように、前記回転輪を前記フィーダハウスに支持する支持軸と、該支持軸に套嵌して前記作物の前記支持軸への巻付きを防止する巻付防止筒とを備えており、前記回転輪の少なくとも一側は、前記巻付防止筒の端部を受入れる環状凹入部を有しており、該環状凹入部に前記巻付防止筒の端部を相対回転可能に挿嵌していることを特徴とする。
【００１１】
【発明の作用効果】
請求項１記載の発明では、フィーダハウスの左右側壁に、緊張体の軸部が挿通される挿通孔に沿ってガイド体を設け、さらにこのガイド体は、フィーダハウス側壁の外側面に設けているから、左右側壁の緊張体支持部を補強できながら、コンベアで移送される作物がガイド体に引掛かるのを防止できる。従って、移送作物が緊張体７の支持部に詰る要因を少なくでき、詰り難くできるのである。
【００１２】
請求項２記載の発明では、緊張体の軸部を上下にガイドする挿通孔を、緊張体とともに上下移動する隠蔽体で隠蔽するから、移送作物が左右側壁の挿通孔から外方にはみ出して引掛かるのを防ぐことができるのである。従って、軸部を挿通孔に沿って良好にガイドできながら、挿通孔による移送作物の詰りを防止できるのである。
【００１４】
請求項３記載の発明では、ガイド軸の表示部を見ることにより、テンションばねによる緊張体のテンション力を確認できるので、工場での組立て時及び補修時に、緊張体に適正なテンション力を簡易に付与できるのであり、従って、組立て及び補修作業性を向上できるのである。
【００１５】
請求項４記載の発明では、蓋体を操作して窓孔を開放することにより、フィーダハウス内の緊張体近傍部を外方に開放できるから、フィーダハウス内側の緊張体に移送作物が引掛かって詰った場合でも、この詰りを前記窓孔から簡易に取り除くことができるのであり、また、緊張体部分の掃除も容易にできるのである。
【００１６】
請求項５記載の発明では、回転輪の環状凹入部に巻付防止筒の端部を相対回転可能に挿嵌しているから、移送作物が、巻付防止筒と回転輪との間の隙間から内側に侵入するのを良好に防止できるのである。従って、移送作物が巻付防止筒と回転輪との間の隙間から内側に侵入して支持軸に巻き付くのを防止できるのである。
【００１７】
【発明の実施形態】
図１２及び図１３は、搬送装置を備えた汎用形のコンバインを示している。このコンバインは、クローラから成る左右の走行装置１０１，１０１により走行可能に支持された機体１００の前部に、油圧昇降装置１０２により昇降可能な刈取部１０３と、該刈取部１０３により刈取られた穀稈などの作物を後方の脱穀室１０４に搬送する搬送装置Ａとを支持すると共に、機体１００上に、胴体の外周に推進角を有する螺旋状の扱刃をもち前記脱穀室１０４に搬送された作物を脱穀する回転自在のスクリュー形扱胴１０５と、この扱胴１０５の回転で脱穀された穀粒を選別する前後に揺動自在の揺動選別装置１０６と、この揺動選別装置１０６の揺動で選別処理された穀粒を貯溜する穀粒タンク１０７とを搭載し、この穀粒タンク１０７の前方に運転席をもつ運転操作部１０８を、また、後方にエンジン１０９から成る駆動源をそれぞれ配置している。尚、図１２において、１１０は前記揺動選別装置１０６の下方に配置した一番コンベア、１１１は同じく二番コンベア、１１２は排風ファンである。
【００１８】
前記刈取部１０３は、未刈り穀稈を取り入れるヘッダーをもつプラットホーム１１３と、このプラットホーム１１３の前部に取付けて左右に往復動させる刈刃１１４と、この刈刃１１４の後方に回転自在に配設される掻込ドラム１１５と、前記プラットホーム１１３の上部にリール支持体１１６，１１６及び油圧シリンダ１１７を介して上下昇降可能に支持された掻込リール１１８とを備えている。
【００１９】
搬送装置Ａは、刈取部１０３のプラットホーム１１３後端部と機体１００の前端部との間に着脱自在に取付けられる略角筒状のフィーダハウス１と、このフィーダハウス１内の前部に固定支持軸２を介して回転自由に支持される円筒状の前部の回転輪（以下前部回転輪と言う）３と、フィーダハウス１内の後部に駆動支持軸４を介して回転自由に支持される左右の後部の回転輪（以下後部回転輪と言う）５と、前部回転輪３の各端部と各後部回転輪５との間に掛設される一対の伝動チェン６１，６１及びこれら伝動チェン６１，６１間に架設された多数の搬送片６２・・から成るコンベア６と、このコンベア６の伝動チェン６１，６１にテンションを与える緊張体７とを備え、駆動支持軸４を、スプロケット・チェンなどの動力伝達機構を介して前記エンジン１０９に連動させ、後部回転輪５を介してコンベア６を循環移動させ、刈取部１０３で刈取られた作物を脱穀室１０４に移送するようにしている。
【００２０】
また、前記緊張体７は、図１〜図４に示すように、フィーダハウス１の左右側壁１ａ，１ａに形成された上下方向の挿通孔１１に沿って上下動自在に挿嵌支持される横長の軸部７１と、該軸部７１の長さ方向中間部に軸受７２を介して回転自由に支持される左右のテンション輪７３，７３と、軸部７１の外周にテンション輪７３，７３間に亘って套嵌されるスクレーパ筒７４とを備え、前記挿通孔１１から左右側壁１ａ，１ａの外方に突出する軸部７１の各軸端部と、左右側壁１ａにブラケット１２を介して下方に垂下したガイド軸１３との間に、緊張体７を常時上方に付勢してコンベア６の伝動チェン６１にテンションを与えるテンションコイルばね（以下テンションばねと言う）８を設けている。また、前記スクレーパ筒７４の各端部で、後記する連結片と反対側外面には、前記テンション輪７３の外側端縁を越えて長さ方向外方に延びる断面略三角形状のスクレーパ７５，７５を設け、該スクレーパ７５，７５によりコンベア６の非移送側に持回りされる作物がテンション輪７３，７３と連れ回りすることなく、該作物を緊張体７前方に順次落下させるようにしている。
【００２１】
前記左右側壁１ａ，１ａの外側面には、緊張体７の軸部７１が挿通される挿通孔１１に沿って上下に延び、前記軸部７１を前後両側からガイドするガイド体９を設けている。
【００２２】
このガイド体９は、図３に示すように、挿通孔１１の長さよりも長い二枚の細長金属板から成り、このガイド体９の幅方向一側面が、前記挿通孔１１の対向面と面一状となるようにして複数の取付ねじ１０により各側壁１ａの外側面に取付け、挿通孔１１とガイド体９とで前記軸部７１をガイドするようにしている。また、各ガイド体９は、幅方向他端側を、ガイド体９よりも厚肉で且つ細幅の細長受体９ａを介して左右側板１ａ，１ａに取付け、各ガイド体９の幅方向一側部と左右側壁１ａ，１ａ外面との間に、挿通孔１１に沿って延びるガイド凹部１４を形成している。尚、軸部７１は、ガイド体９のみでガイドしてもよいし、また、ガイド体９を挿通孔１１に対し前後一方のみとし、一つのガイド体９で軸部７１をガイドするようにしてもよい。
【００２３】
さらに左右側壁１ａ，１ａの外方に突出する前記軸部７１の各軸端部には、前記挿通孔１１に沿って上下に延び、該挿通孔１１の開放口を側壁１ａの外側から隠蔽する隠蔽体１５を挿嵌支持している。
【００２４】
この隠蔽体１５は、図３、図５に示すように、下端部に前記軸部７１を受入れる嵌合孔１５ａをもった細長状の板体から成り、この隠蔽体１５を前記ガイド凹部１４にスライド自在に介在させて、緊張体７とともに上下に移動できるようにしている。
【００２５】
また、前記ガイド軸１３は、図３に示すように、テンションばね８の上下両端を受止める上側及び下側ばね受け１３ａ，１３ｂと、これらばね受け１３ａ，１３ｂを貫通する移動軸部１３ｃとから成り、この移動軸部１３ｃを、前記ブラケット１２に上端部が固定されたねじ軸１６の下端側に移動自由に挿嵌し、さらに移動軸部１３ｃの下端を、前記ねじ軸１６に螺着されたナット１７に結合すると共に、移動軸部１３ｃの上端部を、前記緊張体７の軸部７１を移動自由に貫通して上方に突出させ、この移動軸部１３ｃの上端突出部に、環状凹溝から成る表示部１８を設け、上側ばね受け１３ａを前記軸部７１に当接させている。そして、ナット１７を回し操作することにより、下側ばね受け１３ｂを上下移動させ、テンションばね８の力を調整し、緊張体７に作用するテンション力が適正となったとき、移動軸部１３ｃの表示部１８が軸部７１から露出するようにしている。
【００２６】
また、前記緊張体７の軸部７１におけるテンション輪７３の両側には、図４に示すように、キー７６を介して環状のステー７７，７８を挿嵌支持し、内側ステー７７の外周に前記スクレーパ筒７４の端部を固定すると共に、内側及び外側ステー７７，７８を、断面略三角形状の前記スクレーパ７５で連結して、各ステー７７，７８の回転を防止するようにしている。
【００２７】
前記駆動支持軸４の外周には、図２、図６に示すように、後部回転輪５，５間に亘って延びる巻付防止筒１９を相対回転可能に套嵌すると共に、後部回転輪５，５の両側面に、巻付防止筒１９の端部を受入れる環状凹入部５１を設けて、内側の環状凹入部５１に巻付防止筒１９の端部を相対回転可能に挿嵌している。
【００２８】
前記巻付防止筒１９は、円筒部１９ａと、該円筒部１９ａの両端部内側に固定する環状ステー１９ｂとから成り、このステー１９ｂの外周端部を前記環状凹入部５１に挿嵌しているが、その他、円筒部１９ａの端部を前記環状凹入部５１に挿嵌してもよい。
【００２９】
また、前記左右側壁１ａ，１ａの前記後部回転輪５，５との対向部には、図２、図６に示すように、前記回転輪５，５に向かって突出して外側の環状凹入部５１に挿嵌する防塵筒２０と、側壁１ａ外方に突出してボール軸受２１を保持する筒状の滑り軸受２２を取付け、この滑り軸受２２を軸受ハウジング２３に回転自在に挿嵌支持して、軸受ハウジング２３を機体１００に取付ねじで着脱可能に取付け、滑り軸受２２により、フィーダハウス１を機体１００に対し上下に回動させることができるようにし、前記防塵筒２０により藁等の塵が回転輪５外方の支持軸４周りに侵入するのを防止するようにしている。
【００３０】
さらに前記駆動支持軸４の長さ方向中央部に、軸受２４を介して支持リング２５を挿嵌支持し、この支持リング２５の外周に、前記巻付防止筒１９の長さ方向中央部を固定する一方、巻付防止筒１９の長さ方向中央部と、前記スクレーパ筒７４の長さ方向中央部とに連結片２６，７９をそれぞれ突設して、これら連結片２６，７９を、パイプから成る連結杆２７で連結し、巻付防止筒１９の駆動支持軸４及び後部回転輪５に対する回転と、スクレーパ筒７４のテンション輪７３に対する回転とを防止するようにしている。
【００３１】
前記連結杆２７は、その一端部を、取付ねじ２８により前記連結片２６に取付け、他端部を、コ字形ブラケット７９ａを介して前後方向に延びる筒体から成る連結片７９に回転自由で、かつ長さ方向にスライド自由に挿嵌して連結している。
【００３２】
そして、図３に示すごとくフィーダハウス１における左右側壁１ａ，１ａのうち、運転操作部１０８と反対側の左側壁１ａの緊張体支持位置近くで、かつ緊張体７に対し後部回転輪５側に、緊張体７の連結杆２７との連結部近傍部位を外部に開放させる四角形の窓孔２９と、該窓孔２９を左側壁１ａの外側から開閉する着脱可能な蓋体３０とを設けている。
【００３３】
この蓋体３０は、窓孔２９よりも大形の四角形に形成して、その四隅部に設けた挿通孔から側壁１ａに形成されたねじ孔に取付ねじ３１を螺締することにより、側壁１ａに対し着脱可能とし、この蓋体３０の取外しにより、緊張体７の連結杆２７との連結部に、移送作物が引掛かって詰った場合でも、この詰りを前記窓孔２９から簡易に取り除くことができ、また、緊張体７部分の掃除も容易にできるようにしている。尚、窓孔２９と蓋体３０とは、側壁１ａ，１ａの両方に設けてもよい。
【００３４】
さらに図７に示すように、フィーダハウス１における前部回転輪３と緊張体７との間の傾斜上壁１ｂには、四角形の窓孔３２と、該窓孔３２を上壁１ｂの外側から開閉する着脱可能な掃除蓋３３とを設けている。また、上壁１ｂの窓孔３２に対し後方部には、上端に大径鍔部をもった位置決めピン３４を突設し、さらに窓孔３２に対し前方部には、フック体３５を設けている。尚、３３ａは掃除蓋３３の取手である。
【００３５】
前記掃除蓋３３は、窓孔３２よりも大形の四角形に形成して、その後端部に、図８に示すように、前記位置決めピン３４の大径鍔部を受入れる大径孔部３６ａと、該大径孔部３６ａに連続する小径孔部３６ｂとから成る引掛孔３６を設け、前端部には、枢支横軸３７ｄを介して枢着されるレバー３７ａと、引掛部３７ｃをもち、前記レバー３７ａに枢着される掛止体３７ｂとから成る操作体３７を設けている。そして、引掛孔３６の大径孔部３６ａを位置決めピン３４に挿嵌して掃除蓋３３を前方に若干移動させると、引掛孔３６の小径孔部３６ｂが位置決めピン３４に係合して上方・前方及び側方への移動が規制され、この状態で掛止体３７ｂの引掛部３７ｃをフック体３５に掛止してレバー３７ａを倒伏させることにより、掃除蓋３３を固定でき、また、反対にレバー３７ａを起立して引掛部３７ｃのフック体３５との係合を離脱して掃除蓋３３を後方に若干移動させ、小径孔部３６ｂの位置決めピン３４との係合を離脱することにより、掃除蓋３３を取外すことができるようにしている。
【００３６】
また、図１、図１２に示すように、フィーダハウス１における後部回転輪５と緊張体７との間の上壁１ｃ表面には、滑り止めシート３８を貼付けて、フィーダハウス１の上面１ｃにオペレータが載ることがあっても、このオペレータが滑り落ちるのを防止できるようにしている。
【００３７】
また一方、円筒状の前部回転輪３は、図９に示すように、軸受３９及びリング状のステー４０を介して支持軸２に回転自由に支持し、この支持軸２の各端部を、フィーダハウス１の左右側壁１ａ，１ａに左右のテンションアーム４１，４１を介して支持している。尚、前部回転輪３の各端部外周に、前記伝動チェン６１の位置ずれを防止するストッパをもつリング３ａを固定している。
【００３８】
前記テンションアーム４１は、前後方向に延び、その長さ方向中間が、枢支軸４２及び鍔付きのカラー４３を介して前記左右側壁１ａ，１ａに揺動自在に枢支され、このテンションアーム４１の前端部に前記支持軸２の各端部を支持し、後端部に、横軸４４を介して上方に向かって突出するばね受軸４５を設け、このばね受軸と、前記側壁１ａから突出するブラケットとの間に、前部回転輪３を常時下方側に付勢するテンションバネ（図示せず）を介装して、左右のテンションアーム４１を独立して動作させるようにしている。尚、テンションアーム４１の枢支部には、枢支軸４２の取付孔４１ａと、該取付孔４１ａに連続する座ぐり孔４１ｂとを設けて、この座ぐり孔４１ｂに前記カラー４３を嵌合し、このカラー４３を、前記側壁１ａに固定した軸受筒４６に回転自在に挿嵌支持している。
【００３９】
また、実施形態の刈刃１１４は、固定刈刃１１４ａと、この固定刈刃１１４ａの上側に重合してスライドする可動刈刃１１４ｂとから成り、また、固定刈刃１１４ａは、図１０、図１１に示すように、断面逆Ｌ形の細長のベース体１１４ｃと、このベース体１１４ｃの横部片下面に所定間隔をおいて取付ける多数の刃体１１４ｄと、ベース体１１４ｃの横部片上面に取付けて各刃体１１４ｄを押える細長状の刃押え板１１４ｅとを備え、この刃押え板１１４ｅの長さ方向両端部で、その幅方向一端部を、スペーサ１１４ｆで受止めた上で第１押圧体１１４ｇで押しつけて固定すると共に、幅方向他端部を、第２押圧体１１４ｈで押しつけて不用意に移動しないようにしている。
【００４０】
尚以上の実施形態における緊張体７は、円筒状のテンション輪７３を備えているが、その他、図１４に示すようにスプロケットから成るテンション輪７３を用い、このテンション輪７３を前記伝動チェン６１に噛合させて、伝動チェン６１から伝わる伝動力によりテンション輪７３を回転させるようにしてもよいし、また、スプロケットにすることなく、円筒状テンション輪７３の外周にゴム板などの抵抗体を設けて、この抵抗体と伝動チェン６１との接触抵抗によりテンション輪７３を回転させるようにしてもよい。
【図面の簡単な説明】
【図１】本発明搬送装置の前側部分を省略した縦断側面図。
【図２】同図１の横断平面図。
【図３】同図１の前後方向中央部の拡大側面図。
【図４】図３のＸーＸ線断面図。
【図５】図３のＹーＹ線断面図。
【図６】同搬送装置の後側部分のみの拡大横断面図。
【図７】フィーダハウスにおける緊張体前方部の縦断側面図。
【図８】図７のＺ部の平面図。
【図９】前部回転輪部分の一部縦断正面図。
【図１０】刈刃の一部を省略した平面図。
【図１１】図１０のＢーＢ線拡大断面図。
【図１２】搬送装置を組み込んだコンバイン全体の側面図。
【図１３】同搬送装置を組み込んだコンバイン全体の平面図。
【図１４】図９に対応した別の実施形態を示す拡大断面図
【符号の説明】
１    フィーダハウス
１ａ    側壁
２，４    支持軸
３    前部回転輪
５    後側回転輪
６    コンベア
７    緊張体
７１    軸部
８    テンションばね
９    ガイド体
１１    挿通孔
１３    ガイド軸
１５    隠蔽体
１８    表示部
１９    巻付防止体
２９    窓孔
３０    蓋体
５１    環状凹入部
【図１】
0003705650.tif 000002
【図２】
0003705650.tif 000003
【図３】
0003705650.tif 000004
【図４】
0003705650.tif 000005
【図５】
0003705650.tif 000006
【図６】
0003705650.tif 000007
【図７】
0003705650.tif 000008
【図８】
0003705650.tif 000009
【図９】
0003705650.tif 000010
【図１０】
0003705650.tif 000011
【図１１】
0003705650.tif 000012
【図１２】
0003705650.tif 000013
【図１３】
0003705650.tif 000014
【図１４】
0003705650.tif 000015